(57)【要約】【課題】  銅系合金薄板をフィン加工した成形板を用い、先端をカットしたハーフ靴底形を成型し、銅の殺菌作用とフィン加工の通気性で常に清潔で健康な足裏を保つ。【解決手段】  各種銅系合金の一種の薄板を用い、凹凸が連接してなるコルゲートフィン加工又はオフセットフィン加工をした成形板を、全靴底形の先端を親指から小指にかけて付け根付近をカットした左右一対のハーフ靴底形１を成型し、弾力性を有する化成品の外枠を周設する。【選択図】図１
2014057619.tif 000002
【特許請求の範囲】
【請求項１】
各種銅系合金の一種の薄板を用い、凹凸が連接してなるコルゲートフィン加工した成形板を、全靴底形の先端を親指から小指にかけて付け根付近をカットした左右一対のハーフ靴底形を成型したことを特徴とする靴中敷の下敷。
【請求項２】
コルゲートフィン加工を凹凸が交互に連接してなるオフセットフィン加工としたことを特徴とする請求項１に記載の靴中敷の下敷。
【請求項３】
弾力性を有する化成品の外枠を周設したことを特徴とする請求項１乃至２に記載の靴中敷の下敷。
【発明の詳細な説明】
【技術分野】
【０００１】
本発明は、殺菌作用を有する銅系合金の薄板を、通気性の優れたフィン加工（コルゲート又はオフセット…以下省略）した成形板を左右一対の靴底形の先端をカットしたハーフ靴底形に成型し、主に通常の靴中敷の下に敷いて使用する靴中敷の下敷きに関するものである。
【背景技術】
【０００２】
靴中敷を使用する目的は、常に靴内が清潔で足の裏も健康に保たれることである。この目的を達成する為に脱臭性、防臭性、抗菌性、吸湿性、ムレ防止、通気性、クッション性，爽快感、マッサージ効果、足裏刺激等の効能を各種の素材（合成樹脂、合成ゴム、綿、麻、不織布、片面段ボール等）を効果的に用い、各効能を複数兼ね備えた靴中敷きが開発されて多くの種類が市販されている。これらの靴中敷は使用方法で分類すると継続使用タイプと使い捨てタイプに大別される。継続使用タイプは耐久性があり長期間使用することは出来るが当初備わっていた各種効能は日数とともに次第に無くなり靴内が不潔になってくる。対策として２組を用意しておき交互に使用することが推奨されているが期間には限度があり不潔な状態で長期間使用する場合が多い。使い捨てタイプは素材が安価で製造も容易な布、不織布、合成樹脂シート、片面段ボールシート等が用いられており使用状態によって定期的に取りかえれば靴内を常に清潔に保てることができるが効能が限定され、強度も劣るので頻繁に取り替える必要があり面倒である。又、デザイが継続使用タイプと比較すると単純で見劣りする。いずれにしても現在市販されている各種の靴中敷は一長一短がある。靴中敷に以前より最も求められているのは悪臭を除去し、厄介な水虫の発生が確実に抑制できることである。
【０００３】
社団法人日本銅センターの「銅が持つ微量金属作用とは何」の解説を要約すると銅、銀などの金属には微量金属作用と呼ばれる効果があり、わずかな量で驚くべき殺菌作用を発揮する。水などに溶け出したごくわずかな量の金属イオンが殺菌類の活動を抑える効果のことで、銅のほかに金や銀などにも同様の効果が認められる。詳しいメカニズムはわかっていないが、人や動物が中毒症状を起こすのと同じで，細菌や微生物の中に許容量を超えて溜まった銅イオンが、さまざまな酵素の働きを邪魔する。最近では銅の環境表面での殺菌効果が注目され、銅と直接接触することで院内感染の原因となるＭＲＳＡ（メチシリン耐性黄色ブドウ球菌）やＭＤＲＰ（多剤耐性緑膿菌）を死滅させる。他の銅の微量金属作用の応用例として、農薬のボルドー液、家庭で使う三角コーナーや排水口ゴミキャッチャーを銅製にする、切花を長持ちさせるため花瓶の中に１０円玉を入れる、風呂のお湯ぬめりを防いで衛生的に保つバスグッツ、銅の微粒子をコーティンした台所スポンジ、プールや貯水地の浄化、靴下や靴中敷等各方面に応用され、その効果を確実に発揮している。(ネットで検索)
【０００４】
靴中敷に銅板を使用することによる水虫予防対応の靴中敷が数例提案されている。一例は、足の裏の形状に合わせた上敷材と下敷材の間に複数の銅板片を介在させ上敷材に複数の指圧孔を穿設して銅板を露出させて接着した防菌作用、抗菌作用，制汗作用を効果的に与え、更に緑青により足の裏が汚れることの無い靴中敷である。(特許文献１)二例は、銅系合金からなる薄平板の靴中敷の表面に突起を設ける、断面形状を波状にする、表面から裏面に貫通する孔の何れかを靴底形に形成し、銅合金が有する脱臭、減菌作用と共に表面の突起、波状、貫通孔による足裏の指圧、壷刺激、通気性の効果が得られる靴中敷である。(特許文献２)三例は、薄い銅板に多数の通気孔を設け上にすべり止めの皮膜を接着した銅の殺菌力を応用した水虫等の予防に関した靴中敷である。(特許文献３)
【０００５】
本発明者は先に片面段ボール紙を用い、使い捨てを前提とした、足各指の付け根部分に沿い先端をカットした左右一対の靴底形内側を折線で連接し、土踏まず部分と外周部分を盛り上げ後左右の靴底形で包み込むハーフ靴中敷(特許文献４)と左右一対の靴底形中央の間在部を折り畳んで土踏まず部に折り重ね左右の靴底形で包み込む靴中敷(特許文献５)を提案している。それぞれ段目を表面をとし足の裏の土踏まず刺激と紙の持つ吸臭、吸湿性で安価にて提供できる形態である。
【先行技術文献】
【特許文献】
【０００６】
【特許文献１】特開平９−９８８０５
【特許文献２】特開平６−７２０７
【特許文献３】実開平５−３４９０３
【特許文献４】特願２００９−１０７４５４
【特許文献５】特開平７−１３６００４
【発明の概要】
【発明が解決しようとする課題】
【０００７】
発明が解決しようとする課題は、靴内が常に清潔に保たれ、悪臭、水虫等に効果がある素材を用い、靴を履いた時に各種の足の悩みが解決できる靴中敷の下敷を提供することである。
【課題を解決するための手段】
【０００８】
上記の課題を解決するための手段は、各種銅系合金の一種の薄板を用い、凹凸が連接してなるコルゲートフィン加工した成形板を、全靴底形の先端を親指から小指にかけて付け根付近をカットした左右一対のハーフ靴底形を成型する。素材となる銅系合金には主に、真鍮（黄銅）板（銅と亜鉛）、リン青銅板（銅と錫）、ベリリウム銅板（銅とベリリウム）等があり、純銅板よりそれぞれ強度があり安価で耐磨耗性，耐疲労性も優れているのでこれらの中から選定する。上面に敷く靴中敷は２枚重ねの状態となるので厚いのは適さない。単独で使用する場合には、弾力性を有する化成品（合成樹脂、シリコンゴム等）の外枠を周設するのが望ましい。
【発明の効果】
【０００９】
銅は優れた殺菌力を有しているのでフィン加工して靴中敷きの下敷きとすれば靴内での通気性が向上すると共に表面積が平板状より多くなり銅イオンも比例して大量に発生するので殺菌力も増す。又、長期間使用しても変形しにくく使用時間の経過と共に銅合金板が次第に足の裏の形状に沿って変化して違和感無く使用することができるようになる。市販の靴中敷の下敷として使用すれば、それぞれの特性の相乗効果で従来に無い靴中敷効果が得られる。靴を選ぶ際には、靴内に靴中敷を挿入し、靴と足がマッチした状態となる靴を選定すれば毎日快適なウォーキングができると共に歩く健康法を実践することができる。
【００１０】
銅系合金をフィン加工した靴中敷の下敷は、立体加工されるので厚みが一般の靴中敷より厚みが若干高いので全靴底形では靴の先端部分が窮屈となり革靴、スニーカー、ハイヒール等では使用できない。従って、全靴底形状の前方をおおむね５指の付け根部分でカットしたハーフ形状とすれば窮屈感が解消できると共に寸法の設定が踵部分の横幅でよく全サイズ（２２ｃｍ〜２８ｃｍの間で０.５ｃｍ間隔とすれば１３サイズ）を揃える必要はない。例えばＳサイズを２２ｃｍ〜２３.５ｃｍ、Ｍサイズを２４ｃｍ〜２５.５ｃｍ、Ｌサイズを２６ｃｍ〜２８ｃｍすれば３種類で対応でき境界サイズは合う方を選定すればよい。この場合、靴内への挿入時においては従来の靴中敷きとは異なり固定されないが靴中敷の下敷の踵部分を靴の後方へ合わせておけば、上の靴中敷が凹凸面にいり込む状態になるのと、歩行に従って靴中敷きの先端が足の指付け根部分で靴内の後方へ押されるので安定した状態で使用できる。更に、爪先をカットしたハーフ形状は、爪先の段差が歩行時において足の指が自由に動き大地を掴む感触が得られ足の裏全体に活力を及ぼす。
【００１１】
本靴中敷の中敷を足裏の状態によっては単独で使用することも出来る。この場合、成型した状態では周囲が不規則な形状となっており、特に爪先部分の段差が直接足の裏にあたると痛みを感じる場合があるので周囲に化成品（合成樹脂、シリコンゴム等）の枠を設ければ防止することが出来る。又、フィン加工面の模様は美観に優れ、銅イオンと凹凸面が足の裏に直接作用するので従来に無かった感触を体感することが出来る。
【図面の簡単な説明】
【００１２】
【図１】靴中敷の下敷でコルゲートフィン加工のハーフ靴底形の平面図である。
【図２】靴中敷の下敷でオフセットフィン加工のハーフ靴底形の平面図である。
【図３】靴中敷の下敷の周囲に化成品の枠を周設したハーフ靴底形の平面図である。
【図４】靴中敷の下敷に他の靴中敷を載せた断面図である。
【発明を実施するための形態】
【００１３】
銅系合金薄板を、通気性に優れた効果を発揮するフィン加工をした成形板を用い、左右一対の５指部をカットしたハーフ靴底形を成型し、使用状態に応じて弾力性を有する化成品よりなる枠を周設する。
【実施例１】
【００１４】
以下、本発明の実施例を図面に基づいて説明する。フィン加工とは、銅、アルミ、ステンレス、鉄等の薄板を一定の間隔で凹凸の立体加工をプレス機で連続して成形できる製品で通気性を必要とする各種の製品（オイルクーラー、熱交換器、フィルター、空気調和機、コールドプレート等）に応用して使用されている周知の形状製品である。図１は本発明に係わる靴中敷の下敷でコルゲートフィン加工のハーフ靴底形の平面図とＡ−Ａ断面図である。コルゲートフィン加工とは凹凸が連接する形状で、加工容易で耐圧性も優れているので長期間使用しても変形しにくい。コルゲートフィン加工ハーフ靴底形１の高さは可能な限り薄い方が望ましいが使用時において靴内で変形，破断があってはならない。基準としては高さが３ｍｍ以下とすればほとんどの靴に対応出来る。従って、この条件での銅系合金薄板は０.３ｍｍ以下が望ましく、長期間の使用に耐えられる高さとピッチを選定した成形板でなくてはならない。尚、本図では凹凸面を横としているが縦であってもよい。
【実施例２】
【００１５】
図２は靴中敷の下敷でオフセットフィン加工のハーフ靴底形の平面図とＢ−Ｂ断面図である。オフセットフィン加工とは凹凸が交互して連接したものでありオフセットフィン加工ハーフ靴底形２はコルゲートフィン加工ハーフ靴底形１よりも複雑な形状となり通気性もよくデザイン的にも優れているが長期間使用すると加工面が破断しやすい。対策としては素材、高さ、ピッチの検討で容易に対応することが出来る。
【実施例３】
【００１６】
図３は靴中敷の下敷の周囲に化成品の枠を周設したハーフ靴底形の平面図とＣ−Ｃ断面図である。成型した靴中敷の周囲にはバリが発生しやすいが靴中敷の下敷として使用する場合には直接足に触れることは無いので問題はない。単独で使用する時には先端部で痛みを感じる可能性があり、対策として周囲に化成品の枠３を設ける。但し、成形板の厚みが薄くなれば周囲も成型時に潰された状態となり、バリも目立たなければ足の裏もなじんでくるので枠３を周設しなくてもよい。
【実施例４】
【００１７】
図４は靴中敷の下敷に他の靴中敷を載せた断面図である。本図では本発明者が提案し商品化している段ボール製で土踏まずを刺激する靴中敷４（特許文献５参照）を載せている。爪先は靴中敷でカバーされるので汚れることはない。又、段ボールには優れた吸湿，吸臭性があり段目が足の裏全体を刺激すると共に土踏まず部の膨らみが効果的に作用する。従って、靴中敷の下敷から発生する銅イオンが殺菌を行い、フィン加工の空所部が靴内での通気を良好にするのでお互いの相乗効果で従来の靴中敷では得られなかった効能が期待できる。他の市販さている各種の靴中敷も同様に靴中敷の下敷に載せて使用してもそれぞれの特性が発揮されて好結果が得られる。
【産業上の利用可能性】
【００１８】
本発明の靴中敷の下敷は銅の有する殺菌作用を最大に発揮させるために連続で立体加工ができる成形板を活用したものであり、原則として現在各自が使用している靴中敷の下に入れることにより、脱臭、防臭、抗菌、吸湿、ムレ防止、通気、クッション，爽快感、マッサージ効果、足裏刺激等それぞれ幾つかの相乗効果で従来の各種靴中敷で得られなかった効能を発揮する。特に従来の靴中敷では解決不可能であった水虫に対応できる新しい形態となる可能性が高い。
【００１９】
足の裏は第二の心臓と言われており多くのツボが点在している。日常生活において靴は毎日使用するものであるが靴と健康に関して無関心の人が多い。理想は足に合った靴を履くのが一番いいがオーダーメイドの靴は高価でありだれでも履くことは出来ない。そうであれば靴に足を合わせることとなるがこの場合には靴中敷で調整すれば簡単に行えるので市販されている各種の靴中敷を試用して一番合うのを選定し、靴中敷の下敷と併用すれば好結果がえられる。
【００２０】
健康体を保つ為には適度の運動が必要で、通常簡単に行うことができるのはウォーキング、ジョギング等である。この場合においてただ普通の靴で靴中敷無しで歩くのと靴内に足の裏が刺激できる靴中敷を入れて歩くのでは健康面において大差が生じてくる。本発明者は靴中敷の下敷の上に段ボール製で土踏まず刺激付の靴中敷を挿入して試用した。結果は段ボール製靴中敷だけの場合より靴内に爽快感があり水虫の発生もなく使用期間も１０倍以上伸びた。従って、他の各種靴中敷を挿入しても同様の結果が得られると考える。又、足の指が靴内で動くので歩行時において地面を掴む感触を得た。この感触が得られるのは下駄、草履等であるが現在での使用は皆無と言ってよく靴内に靴中敷の下敷を挿入するだけで体感できる。又、靴中敷の下に更に下敷を入れると言う発想は珍しく、効能面での検証はこれからであるが靴内の殺菌、抗菌、防臭作用で水虫予防に多大な効果が予測でき、多くの足裏の悩みを抱えている人に喜んで貰える画期的な商品に育つと確信している。
【符号の説明】
【００２１】
１  コルゲートフィン加工ハーフ靴底形
２  オフセットフィン加工ハーフ靴底形
３  枠
４  靴中敷
【図１】
2014057619.tif 000003
【図２】
2014057619.tif 000004
【図３】
2014057619.tif 000005
【図４】
2014057619.tif 000006